(57)【要約】【課題】  従来の電気チェーンブロックは荷の吊上げ揚程ごとにチェーン長さを変更する為に、チェーン収納器も揚程ごとに様々な大きさの収納器の種類があった。又、高揚程の機種になるとチェーン収納器のサイズも大きくなり、部品の運搬時に場所をとり、運搬効率低下などの問題があった。又、既設の電気チェーンブロックの揚程変更等の改造を行う際にチェーン収納器の交換が必要となり、ユーザー側でのコスト面でも無駄が生じていた。【解決手段】  電気チェーンブロックのチェーンを収納するチェーン収納器において、筒形形状の固定バケットと固定バケット外形よりもわずかに大きい内径を有する底のある筒形形状の可動バケットを有し、可動バケットをスライドさせる事により種々のチェーン長さを収納可能にしたことを特徴とするチェーン収納器としたものである。【選択図】  図１
2005350225.tif 000002
【特許請求の範囲】
【請求項１】
電気チェーンブロックのチェーンを収納するチェーン収納器において、筒形形状の固定バケットと固定バケット外形よりもわずかに大きい内径を有する底のある筒形形状の可動バケットを有し、これらを連結した連結ピンを固定バケットに設けられたスライド溝に沿って連結ピンと可動バケットをスライドさせる事により様々な長さのチェーンを収納可能にしたことを特徴とするチェーン収納器。
【発明の詳細な説明】
【技術分野】
【０００１】
本発明は電気チェーンブロックなどのチェーン収納器に関するものである。
【背景技術】
【０００２】
従来のチェーン収納器は電気チェーンブロックのチェーン長さに応じたバケット状である。
【０００３】
又、取付け方法は、図４に示すように、巻上機本体１のスプロケット２からはき出されるチェーン３を収納するチェーン収納器４の上部にバランスするように３本の吊チェーン５，６，７を取付けてある。吊チェーン５，６は対向する２面に、吊チェーン７は直交する１面に取付けられる。吊チェーン７の上端は、本体下部に取付けた吊り輪８に引掛け、他の吊チェーン５，６は巻上本体側面に取付けたサイドカバー９の下方に設けたＴ形の切込み部１０にそれぞれ引掛けてチェーン収納器４を吊下げる。
【発明の開示】
【発明が解決しようとする課題】
【０００４】
従来の電気チェーンブロックは荷の吊上げ揚程ごとにチェーン長さを変更する為に、チェーン収納器も揚程ごとに様々な大きさのチェーン収納器の種類があった。又、高揚程の機種になるとチェーン収納器のサイズも大きくなる為に、部品の運搬時に場所をとり、運搬効率低下などの問題があった。又、既設の電気チェーンブロックの揚程変更等の改造を行う際に、チェーン収納器の交換が必要となり、ユーザー側でのコスト面でも無駄が生じていた。
【課題を解決するための手段】
【０００５】
電気チェーンブロックのチェーンを収納するチェーン収納器において、筒形形状の固定バケットと固定バケット外形よりもわずかに大きい内径を有する底のある筒形形状の可動バケットを有し、可動バケットをスライドさせる事により種々のチェーン長さを収納可能にしたことを特徴とするチェーン収納器としたものである。
【発明の効果】
【０００６】
本発明は前記の如くであり、本発明によれば安価な部品を用いて、軽微な構造変更でチェーン収納器のサイズ変更を図ることができる。
【発明を実施するための最良の形態】
【０００７】
図１は本発明になる収納器の取付け状態を示した電気チェンブロックの外観図、図２は本発明の主要部品である可変長チェーン収納器の平面断面図、図３は本発明の主要部品である可変長チェーン収納器の外観図である。
【０００８】
１は巻上機本体で上部には、横行を行うＩ形鉄鋼レール３１を基準にして左右にフレーム３２が位置し、左右のフレーム３２は一方を従動ホイル３３、もう一方を駆動ホイル３４に分けて各二個づつ前後に取付けてある。駆動ホイル３４側のフレーム３２には減速部３５をフレーム３２の反ホイル側に取付けてあり、減速部３５の前方にはブレーキ３６及び、モータ３７が取付けられている。フレーム３２下方には左右のフレーム３２を連結する為の吊ピン１２が取付けられており、吊ピン１２で巻上機本体１の上方に設けられた上フック１１を支承する。４はチェン収納器で上部を吊チェン５，６，７の３本でほぼ垂直に保つよう、吊チェン７の上端を吊金具８の一端に、吊チェン５，６は吊金具１０の他端にそれぞれ引掛けて吊る。１３は荷重用下フックで巻上機本体１内のスプロケット２に巻廻されたチェーン３の端部に取付けられている。チェーン３の反下フック側はスプロケット２を通過後チェーン収納器４内に溜められるものである。このような構成において、チェーン３の長さは、荷重用下フック１３の上下方向に移動する量(揚程)で決まり、揚程を増す程にチェーン３は長くなり、チェーン収納器４もその長さに応じてサイズアップする必要がある。本発明は断面四角の筒形形状である固定バケット２１と固定バケット２１外形よりもわずかに大きい内径を有する底付の筒形形状の可動バケット２２からなる可変長チェーン収納器で、固定バケット２１の側面には固定バケット２１と可動バケット２２を連結する為の連結ボルト２３が挿入可能な連結穴２４を設けてあり、連結穴２４は色々なチェーン収納器サイズに対応する為に等間隔に固定バケット２１と可動バケット２２の側面に同位置で設けてある。
【０００９】
本発明は可動バケット２２をスライドする際に連結ボルト２３の取り外しが不要なようになっている。その構造は連結ボルト２３は市販のボルト２５とナット２６とボルト２５に挿入したカラー２７で構成されるが、カラー２７の可動バケット接触端面とナット２６の固定バケット接触端面の間隔は固定バケット２１と可動バケット２２を合わせた厚みよりもわずかに大きい位置でナット２６がポンチ止めされており、可変長チェーン収納器吊り下げ時の力のかかっているような状態以外では自由に移動可能である。又、可動バケット２２にはスライドの際に連結ボルト２３が移動可能なようにスライド方向にスライド溝２８が設けてあり、連結穴２４とスライド溝２８を結ぶカギ形状のガイド溝２９が設けてあり、連結ボルト２３は連結穴２４からガイド溝２９を通り、スライド溝２８に移動できる。又、固定バケット２１の側面には横長のガイド溝２９が設けてある。ここで、可動バケット２２のガイド溝２９はカギ形状である為、可動バケット２２の位置が決まった後は意図的に可動バケット２２を持ち上げ、可動バケット２２のガイド溝２９の直線部に位置合わせを行わなければ、連結ボルト２３は移動不可能であり、これにより連結ボルト２３の外れを防止する。これらの構造により、軽微な部品を用いて簡単な作業で、工具を用いることなく、各揚程に対応可能なチェーン収納器となり、高揚程機種のチェーン収納器であっても運搬の際の部品梱包外形の縮小が図れ、又揚程変更改造等の際もチェーン収納器の交換を行う必要がなく、ユーザー側のコスト面においても節約がはかれる。
【図面の簡単な説明】
【００１０】
【図１】本発明の対象となる電気チェーンブロックの外観図。
【図２】本発明の対象となる可変長チェーン収納器の平面断面図。
【図３】本発明の対象となる可変長チェーン収納器の外観図。
【図４】従来の電気チェーンブロックの外観図。
【符号の説明】
【００１１】
１…巻上機本体、２…スプロケット、３…チェーン、４…チェン収納器、５，６，７…吊チェン、８，１０…吊金具、９…サイドカバー、１１…上フック、１２…吊ピン、１３…下フック、２１…固定バケット、２２…可動バケット、２３…連結ボルト、２４…連結穴、２５…ボルト、２６…ナット、２７…カラー、２８…スライド溝、２９…ガイド溝、３１…Ｉ形鉄鋼レール、３２…フレーム、３３…従動ホイル、３４…駆動ホイル、３５…減速部、３６…ブレーキ、３７…モータ。
【図１】
2005350225.tif 000003
【図２】
2005350225.tif 000004
【図３】
2005350225.tif 000005
【図４】
2005350225.tif 000006